(57)【要約】 【課題】適切な土質で必要な量を、現場工程に合致させ、供給できる残土在庫スペースを設置して、盛土材として不適切な残土は、残土在庫スペースにおいて加工し、再利用可能な材料とする残土の仮置き場である。【解決手段】残土発生が予定され、盛土材が必要とされる工事現場の近傍に、適宜な広さを有するスペース１を取り囲み手段２で囲い、該スペースには数種類の残土Ｘを仮置きでき、土質の異なる残土Ｘａごとに、それぞれ周囲を大型土のう等の仕切材３で囲む残土仮置きスペース４と、盛土には不適切な材の改良を行う改良スペース４ａとを設け、前記スペースへの出入り口には、ゲート５を設け、該ゲートに、あるいは、ゲート近傍に、ダンプ計量所６を設け、前記スペースへの搬出・入する車両の特定を行う手段７と、車両に積載された積載量を計測する手段８と共に、搬出・入の管理を行う管理手段９を備えた残土の仮置き場。【選択図】      図１
0003146702.tif 000002
【実用新案登録請求の範囲】
【請求項１】
残土発生が予定される工事現場と、盛土材が必要とされる工事現場の近傍に、適宜な広さを有するスペース（１）を取り囲み手段（２）で囲って設け、該スペースには数種類の残土（Ｘ）を仮置きでき、土質の異なる残土（Ｘａ）ごとに、それぞれ周囲を大型土のう等の仕切材（３）で囲む残土仮置きスペース（４）と、盛土には不適切な材の改良を行う改良スペース（４ａ）とを設け、前記スペース（１）への出入り口には、ゲート（５）を設け、該ゲート（５）に、あるいは、ゲート近傍に、ダンプ計量所（６）を設け、前記スペース（１）への搬出・入する車両の特定を行う手段（７）と、車両に積載された積載量を計測する手段（８）と共に、搬出・入の管理を行う管理手段（９）を備えたことを特徴とする残土の仮置き場。
【請求項２】
取り囲み手段（２）が、防塵シート、防音シート、境界フェンスから選ばれた１または、複数の部材であることを特徴とする請求項１記載の残土の仮置き場。
【考案の詳細な説明】
【技術分野】
【０００１】
この考案は、残土の仮置き場に関する。
【背景技術】
【０００２】
従来、建築工事から発生する「余分な土」（以下、残土と称する）を、どのように有効利用するかというテーマは、建築工事に携わる関係者には、大きな課題である。
【０００３】
これらの問題については、２００２年５月より施工されている建設リサイクル法をはじめ、発生残土の有効活用に関連する諸法律も整備され、関係官庁をはじめ業界全体で取り組んでいる。
【０００４】
しかし、発生する残土の「量」や、その「土質」及び「時期」と受入側（盛土条件）との条件が合わないということがあった。
即ち，受入れ現場（盛土条件）で使用する「量」など、使用する（盛土作業）工事側には当該工事における品質確保や工程管理上、諸々の適切条件が必要となる。
【０００５】
反面、発生する側にも諸条件があり、発生する側（搬出側）と受入側（盛土作業側）の条件を一致させることは非常に困難である。
【０００６】
以上のことから現場では、いろいろな問題が発生しており、残土の有効な利用がされていなのが現実であった。
【考案の開示】
【考案が解決しようとする課題】
【０００７】
そこで、この考案は、適切な土質で必要な量を、現場工程に合致させ、供給できる残土在庫スペースを設置して、適宜供給できるようにし、盛土材として不適切な残土は、残土在庫スペースにおいて加工し、再利用可能な材料とする残土の仮置き場を設けることにある。
【課題を解決するための手段】
【０００８】
この考案は、残土発生が予定される工事と盛土材が必要とされる工事（事業）周辺に、残土を仮置きできるスペースを以下の条件で確保する。
１）  数種類の残土が仮置きでき、盛土不適切材の改良スペースを合わせ、ダンプ搬出・搬入が可能なスペースを確保する。
２）  可能な限り、民家に隣接する場所や常時多数の人が出入りする施設がある場所は避ける。
【０００９】
そして、残土在庫スペースには、以下の設備を設ける。
１）  敷地内排水。必要に応じて防塵シート・防音シート及び境界フェンスなどを設置する。
２）  残置する残土は、その土質ごとに一定場所に残置して管理する。周辺は大型土のうで囲う。
３）  残置する残土量は、種類毎に適宜一定場所に残置して保管する。
４）  残土の積み込みや改良・移動に必要な重機の確保。
【考案の効果】
【００１０】
この考案によると、
１）  残土処分の費用が不要となり、工事原価を削減し、かつ、エコに貢献できる。
２）  盛土材搬入工事において、工程と盛土の品質向上に寄与できる。
３）  表土やシルトなどの盛土不適切残土も、使用が可能となる。
４）  大型土嚢等災害時の資材料を常備し、災害発生時にすぐに対応できる。
５）  災害時の流出土砂を即ヤードに撤去し、復旧工事に再利用でき、早期復旧に貢献        できる。
６）  残土搬出入時作業をコンピューター管理し、省力化を実現する、
等の極めて有益なる効果を奏するものである。
【考案を実施するための最良の形態】
【００１１】
先ず、残土発生が予定される工事現場と、盛土材が必要とされる工事現場の近傍に、適宜な広さを有するスペースを取り囲み手段で囲って設け、該スペースには数種類の残土を仮置きでき、土質の異なる残土ごとに、それぞれ周囲を大型土のう等の仕切材で囲む残土仮置きスペースと、盛土には不適切な材の改良を行う改良スペースとを設け、前記スペースへの出入り口には、ゲートを設け、該ゲートに、あるいは、ゲート近傍に、ダンプ計量所を設け、該スペースへの搬出・入する車両の特定を行う手段と、車両に積載された積載量を計測する手段と共に、搬出・入の管理を行う管理手段を備えたことを特徴とする残土の仮置き場である。
【実施例】
【００１２】
この考案の一実施例を図面に従って詳述すると、残土発生が予定される工事現場と、盛土材が必要とされる工事現場の近傍に、適宜な広さを有するスペース（１）を取り囲み手段（２）で囲って設け、該スペースには数種類の残土（Ｘ）を仮置きでき、土質の異なる残土（Ｘａ）ごとに、それぞれ周囲を大型土のう等の仕切材（３）で囲む残土仮置きスペース（４）と、盛土には不適切な材の改良を行う改良スペース（４ａ）とを設け、前記スペース（１）への出入り口には、ゲート（５）を設け、該ゲート（５）に、あるいは、ゲート近傍に、ダンプ計量所（６）を設け、前記スペース（１）への搬出・入する車両の特定を行う手段（７）と、車両に積載された積載量を計測する手段（８）と共に、搬出・入の管理を行う管理手段（９）を備えたことを特徴とする残土の仮置き場から構成される。
【００１３】
そして、前記取り囲み手段（２）が、防塵シート、防音シート、境界フェンスから選ばれた１または、複数の部材であり、必要に応じて設けるものである。
【００１４】
盛土には不適切な材の改良を行う改良スペース（４ａ）には、適宜な土に改良するトロンメルやスケルトンバケット等の土木機械等の機材を常備しておき、必要に応じて、ボンテラン工法などの土質改良施設を設置するものである。
【００１５】
又、この考案に使用する，車両の特定を行う手段（７）とは、センサーで感知し、搬出・入の車両（ダンプ）の積載量と車両のナンバープレート等を撮影するセンサーカメラを用いて行うものである。
【００１６】
また、この考案に使用する，積載量を計測する手段（８）とは、計量機を用いて計測し、そのデータはコンピューター（図示せず）を用いて管理し、データの分析・集積を行うものである。
【００１７】
さらに、搬出・入の管理を行う管理手段（７）とは、搬出・搬入車両並びに積載量をコンピューター（図示せず）を用いて管理し、データの分析・集積をし、また、管理者と当該現場がリアルに閲覧可能となるようテステム設定するものである。
【００１８】
また、このスペースを利用して、災害発生時に備え、大型土のう袋、ブルーシート、スコップ等の被災準備用具やダンプトラック・油圧ショベル等の土木機械器具の収納スペース（10）を常時完備しておけば、災害発生時には、即座に出動可能な状態としておく。
【産業上の利用可能性】
【００１９】
この考案の残土の仮置き場を設置し、その技術を実施することにより、土木業界の活性化を通じて産業上の利用可能性がある。
【図面の簡単な説明】
【００２０】
【図１】この考案の一実施例を示す平面図である。
【図２】この考案の一実施例を示す側面図である。
【符号の説明】
【００２１】
１  スペース
２  取り囲み手段
３  仕切材
４  残土仮置きスペース
４ａ  改良スペース
５  ゲート
６  ダンプ計量所
７  車両の特定を行う手段
８  積載量を計測する手段
９  搬出・入の管理を行う管理手段
10    土木機械器具の収納スペース
Ｘ  残土
Ｘａ  土質の異なる残土
【図１】
0003146702.tif 000003
【図２】
0003146702.tif 000004